(57)【要約】  駆動回路キャリア、ディスプレイパネル、タブレットディスプレイ及び製造方法。駆動回路キャリア（１）の第１のピン（１１）の設計は、駆動回路キャリア（１）の基板（１０）の特性と最大限に一致し、基板（１０）の引張変形を大きく補償する。駆動回路キャリア（１）の第１のピン（１１）に対応するディスプレイパネル（２）の第２のピン（２１）により、膨張後のディスプレイパネル（２）又は駆動回路キャリア（１）の接着品質が大幅に改善される。【選択図】図９
2019532317.tif 000002
【特許請求の範囲】
【請求項１】
基板と、
前記基板の少なくとも１つの表面に配置された複数の第１のピンとを備え、
前記複数の第１のピンは、第１の基準線に沿って配置され、少なくとも１つの前記第１のピンの仮想延長線は、前記第１の基準線に垂直な第２の基準線と交差する駆動回路キャリア。
【請求項２】
請求項１において、
前記複数の第１のピンは、前記第１のピンの少なくとも１つを含む複数の第１のピン群に分割され、各第１のピン群は、前記第２の基準線と交差する仮想延長線を有し、又は前記第２の基準線と平行に延び、前記第２の基準線と交差する仮想延長線を有する前記第１のピン群のそれぞれについては、各第１のピンは、前記第２の基準線と同じ点で交差し、前記第２の基準線に平行に延びる前記第１のピン群のそれぞれについては、各第１のピンは、前記第２の基準線と平行に延び、又は前記第２の基準線と一致する駆動回路キャリア。
【請求項３】
請求項２において、
前記仮想延長線の全てが同じ点で前記第２の基準線と交差し、又は前記仮想延長線の全てが異なる点で前記第２の基準線と交差し、又は前記仮想延長線の一部が同じ点で前記第２の基準線と交差する駆動回路キャリア。
【請求項４】
請求項３において、
１つの第１のピン群において、前記第２の基準線に最も近い前記第１のピンから前記第２の基準線から最も遠い前記第１のピンの方向に沿って、各第１のピンは、その仮想延長線と前記第２の基準線との間に形成される角度において同じ増分を有し、及び／又は
前記第２の基準線と交差する仮想延長線を有する前記第１のピン群のうち、前記第２の基準線に最も近い前記第１のピン群から前記第２の基準線から最も遠い前記第１のピン群の方向に沿って、各第１のピン群は、対応する前記第１のピンの前記仮想延長線と前記第２の基準線との間に形成される前記角度においてより大きな増分を有する駆動回路キャリア。
【請求項５】
請求項３において、
前記第１のピン群のそれぞれにおいて、各第１のピンは、前記第１の基準線に沿った同じ断面幅を有し、及び／又は前記第２の基準線に最も近い前記第１のピン群から前記第２の基準線から最も遠い前記第１のピン群の方向に延びる全ての前記第１のピン群の間で、各第１のピン群は、前記第１の基準線に沿った前記断面幅において、前の第１のピン群と比較してより大きな増分を有する駆動回路キャリア。
【請求項６】
請求項３において、
１つの第１のピン群において、隣接する第１のピンは、前記第１の基準線に沿って等間隔で離間され、及び／又は前記第２の基準線に最も近い前記第１のピン群から前記第２の基準線から最も遠い前記第１のピン群の方向において、全ての前記第１のピン群の間で、各第１のピン群は、前記第１の基準線に沿って隣接する第１のピンの間に、前の第１のピン群と比較してより大きな間隔を有する駆動回路キャリア。
【請求項７】
請求項１において、
前記第１のピンのそれぞれは、第１の端部と、前記第１の端部の反対側の第２の端部とを備え、前記第１のピンのそれぞれは、前記第１の端部における断面幅が前記第２の端部における断面幅よりも広く、前記断面幅が前記第１の端部から前記第２の端部に向かって減少し、又は前記第１のピンのそれぞれは、形状及び／又は断面幅が互いに異なる複数のセクションを備える駆動回路キャリア。
【請求項８】
請求項１において、
前記第１のピンのうちの１個又は２個の最も外側のピンは、それぞれ規則的又は不規則な形状の第１のアラインメントマークを備え、
前記第１のピンのそれぞれは、一対の第１の辺と一対の第２の辺とを有し、前記第１の辺は、前記第１の基準線と交差し、前記第２の辺は、前記第１の基準線と平行に延び、
各第１のアラインメントマークは、対応する最も外側の前記第１のピンの外側の前記第１の辺に設けられ、
前記第１のピンのそれぞれは、前記第２の基準線に沿って、前記第１の基準線によって２つの部分に分割され、前記第１のアラインメントマークは、前記第１の基準線上に位置する駆動回路キャリア。
【請求項９】
請求項１乃至８のいずれかに記載の駆動回路キャリアに接着されるディスプレイパネルであって、
前記ディスプレイパネルは、第３の基準線に沿って配置された複数の第２のピンが存在する非表示領域を備え、前記第２のピンのうちの少なくとも１つの仮想延長線は、前記第３の基準線に垂直な第４の基準線と交差し、前記第３及び第４の基準線に対する前記ディスプレイパネルの前記第２のピンの配置は、前記駆動回路キャリア内に前記第１及び第２の基準線に対して配置された前記第１のピンの配置に対応するディスプレイパネル。
【請求項１０】
請求項９において、
前記第２のピンのうちの１個又は２個の最も外側のピンにそれぞれ第２のアラインメントマークが設けられ、
前記第２のピンのそれぞれは、一対の第３の辺と一対の第４の辺とを有し、前記第３の辺は、前記第３の基準線と交差し、前記第４の辺は、前記第３の基準線と平行に延び、
各第２のアラインメントマークは、対応する最も外側の前記第２のピンの外側の第３の辺に設けられ、
前記第２のピンのそれぞれは、前記第４の基準線に沿って、前記第３の基準線によって２つの部分に分割され、各第２のアラインメントマークは、３個のアラインメント構造を含み、前記アラインメント構造のうちの１個は、前記第３の基準線上に位置し、前記アラインメント構造のうちの他の２個は、前記第３の基準線の両側に、前記第３の基準線から等距離に位置するディスプレイパネル。
【請求項１１】
フラットパネルディスプレイデバイスであって、
請求項１乃至８のいずれかに記載の駆動回路キャリアと、
請求項９乃至１０のいずれかに記載のディスプレイパネルとを備え、
前記駆動回路キャリアの前記第１のピンは、前記第２の基準線が前記第４の基準線と一致するように、前記ディスプレイパネルの前記第２のピンに完全に又は部分的に接着されるフラットパネルディスプレイデバイス。
【請求項１２】
フラットパネルディスプレイデバイスの製造方法であって、
請求項８に記載の駆動回路キャリアを準備することと、
請求項１０に記載のディスプレイパネルを準備することと、
前記駆動回路キャリアの前記第１のアラインメントマークと前記ディスプレイパネルの前記第２のアラインメントマークとを用いて、前記駆動回路キャリアの前記第１のピンを前記ディスプレイパネルの前記第２のピンに整列させることと、
前記第１のピンを前記第２のピンに取り付けることにより、前記駆動回路キャリアを前記ディスプレイパネルに接着することとを含むフラットパネルディスプレイデバイスの製造方法。
【請求項１３】
請求項１２において、
前記駆動回路キャリアの前記第１のピンと前記ディスプレイパネルの前記第２のアラインメントマークとを用いて、前記駆動回路キャリアの前記第１のピンを前記ディスプレイパネルの前記第２のピンと整列させることは、
２個の第１のアラインメントマーク間の距離と２個の第２のアラインメントマーク間の距離を求めることと、
前記２個の第１のアラインメントマーク間の距離と前記２個の第２のアラインメントマーク間の距離との差から目標オフセットを求めることと、
前記目標オフセットに等しい距離だけ前記第２の基準線に沿って前記駆動回路キャリアを移動させて、前記第１のピンを前記第２のピンに整列させることとを含むフラットパネルディスプレイデバイスの製造方法。
【請求項１４】
請求項１３において、
前記目標オフセットは、以下の式によって導出され、
Ｙ＝Ｘ／ｔａｎθ
Ｙは、前記目標オフセットを示し、Ｘは、前記距離の前記差であり、θは、前記最も外側の第１のピンの仮想延長線と前記第２の基準線との間に形成される角度であるフラットパネルディスプレイデバイスの製造方法。
【発明の詳細な説明】
【技術分野】
【０００１】
本発明は、表示技術の分野に関し、具体的には、駆動回路キャリア、ディスプレイパネル、フラットパネルディスプレイデバイス及びその製造方法に関する。
【背景技術】
【０００２】
フラットパネルディスプレイデバイスは、通常、ディスプレイパネルと、その表示制御のためにディスプレイパネルに電気的に接続された駆動回路とを有する。駆動回路をディスプレイパネルに電気的に接続する従来の方法は、ＣＯＦ（chip-on-flex：チップオンフレックス又はchip-on-film：チップオンフィルム）技術及びＣＯＧ（chip-on-glass：チップオングラス）技術を含む。ＣＯＧ技術では、通常、駆動回路は、ディスプレイパネルに直接接続された駆動チップ内に組み込まれ、これによって駆動回路とディスプレイパネルとが電気的に接続される。ＣＯＦ技術では、駆動回路は、通常、ディスプレイパネルに直接接続された薄膜基板上に製造され、これにより、駆動回路とディスプレイパネルとが電気的に接続される。
【０００３】
ＣＯＧ技術では、駆動チップが駆動回路を担持するキャリアとして機能し、これをディスプレイパネルに接続するように構成されている。駆動チップは、ディスプレイパネル上のピン（リード又は出力パッドとも呼ばれる。）に接着可能なピン（リード又は出力パッドとも呼ばれる。）を備え、駆動回路とディスプレイパネルとの電気的接続を確立する。ＣＯＦ技術では、薄膜基板が駆動回路を担持するキャリアとして機能し、ディスプレイパネルへの電気的接続のために構成され、電気的接続は、薄膜基板上のピンをディスプレイパネル上のピンに接着することによって達成される。したがって、駆動回路キャリアのピンをディスプレイパネルのピンに高品質で接着することが重要である。
【発明の概要】
【発明が解決しようとする課題】
【０００４】
本発明の目的は、改善された品質で、駆動回路キャリア上のピンをディスプレイパネル上のピンに接着できる駆動回路キャリア、ディスプレイパネル、フラットパネルディスプレイデバイス及びその製造方法を提供することである。
【課題を解決するための手段】
【０００５】
上記の技術的課題を解決するために、本発明が提供する駆動回路キャリアは、基板と、基板の少なくとも１つの表面に配置された複数の第１のピンとを有する。第１のピンは、第１の基準線に沿って配置され、少なくとも１つの第１のピンの仮想延長線は、第１の基準線に垂直な第２の基準線と交差している。
【０００６】
また、本発明は、第３の基準線に沿って配置された複数の第２のピンが存在する非表示領域を有するディスプレイパネルを提供する。少なくとも１つの第２のピンの仮想延長線は、第３の基準線に垂直な第４の基準線と交差している。
【０００７】
また、本発明は、上に定義した駆動回路キャリアと、上に定義したディスプレイパネルとを有するフラットパネルディスプレイデバイスを提供する。駆動回路キャリアの第１のピンは、第２の基準線が第４の基準線と一致するように、ディスプレイパネルの第２のピンに完全に又は部分的に接着される。
【０００８】
また、本発明は、フラットパネルディスプレイデバイスの製造方法を提供する。この方法は、上に定義した駆動回路キャリアを準備することと、上に定義したディスプレイパネルを準備することと、駆動回路キャリアの第１のアラインメントマークとディスプレイパネルの第２のアラインメントマークとを用いて、駆動回路キャリアの第１のピンをディスプレイパネルの第２のピンに整列させることと、第１のピンを第２のピンに取り付けることにより、駆動回路キャリアをディスプレイパネルに接着することとを含む。
【０００９】
本発明の駆動回路用キャリア、ディスプレイパネル、フラットパネルディスプレイデバイス及びその製造方法において、駆動回路キャリアの第１のピンは、基板の特性との最大限の順応性を可能にし、基板の引張変形による接着誤差を効果的に補償するように設計される。ディスプレイパネルの第２のピンは、駆動回路キャリアの第１のピンに対応するように設けられているので、ディスプレイパネル又は駆動回路キャリアが膨張した後であっても、接着品質を大幅に改善できる。
【図面の簡単な説明】
【００１０】
【図１】本発明の実施形態１に係る駆動回路キャリアの構造図である。
【図２】本発明の実施形態１に係るディスプレイパネルの構造図である。
【図３】本発明の実施形態２に係る駆動回路キャリアの構造図である。
【図４】本発明の実施形態２に係るディスプレイパネルの構造図である。
【図５】本発明の実施形態３に係る駆動回路キャリアの構造図である。
【図６】本発明の実施形態３に係るディスプレイパネルの構造図である。
【図７】本発明の実施形態４に係る駆動回路キャリアの構造図である。
【図８】本発明の実施形態４に係るディスプレイパネルの構造図である。
【図９】本発明の実施形態５に係る駆動回路キャリアの構造図である。
【図１０】本発明の実施形態５に係るディスプレイパネルの構造図である。
【図１１】本発明の実施形態６に係る駆動回路キャリアの構造図である。
【図１２】本発明の実施形態６に係るディスプレイパネルの構造図である。
【図１３】本発明の実施形態７に係る駆動回路キャリアの構造図である。
【図１４】本発明の実施形態７に係るディスプレイパネルの構造図である。
【図１５】本発明の実施形態８に係る駆動回路キャリアの構造図である。
【図１６】本発明の実施形態８に係るディスプレイパネルの構造図である。
【図１７】本発明の実施形態９に係る駆動回路キャリアの構造図である。
【図１８】本発明の実施形態９に係るディスプレイパネルの構造図である。
【図１９】本発明の実施形態１０に係る駆動回路キャリアの構造図である。
【図２０】本発明の実施形態１０に係るディスプレイパネルの構造図である。
【図２１】本発明の実施形態１０に係る駆動回路キャリアの構造図である。
【図２２】本発明の実施形態１０に係るディスプレイパネルの構造図である。
【図２３】本発明の実施形態１１に係る駆動回路キャリアの構造図である。
【図２４】本発明の実施形態１１に係るディスプレイパネルの構造図である。
【発明を実施するための形態】
【００１１】
本発明が提案する駆動回路キャリア、ディスプレイパネル、フラットパネルディスプレイデバイス及びその製造方法について、添付の図面と共に特定の実施形態を参照して、より詳細に説明する。本発明の特徴及び利点は、以下の詳細な説明及び特許請求の範囲からより明瞭となる。なお、図面は、実施形態を説明する際の利便性及び明瞭性を高めることのみを意図しており、必ずしも実際の縮尺を反映せず、非常に簡略化された形態で示している。
【００１２】
従来の駆動回路キャリア及びディスプレイパネルのピンは、通常、長方形であり、互いに平行に配置されている。更に、従来の可撓性を有する又は屈曲可能な駆動回路キャリアがホットプレスプロセスを経る場合、その基板（例えば、ピンを取り囲む可撓性媒体）は、プロセス中の高温の影響で膨張する傾向があるため、ピンが同じプロセスパラメータ（例えば、幅、ピッチ等）を有するように設計されていても、駆動回路キャリアのピンとディスプレイパネルのピンとの間の整列が不正確になり、したがって、接着品質が低下する可能性がある。
【００１３】
本発明の中心的な概念は、基板と、基板の少なくとも１つの表面に配置された複数の第１のピンとを備える駆動回路キャリアを提供することである。複数の第１のピンは、全て第１の基準線に沿って配置され、少なくとも１つの第１のピンの仮想延長線は、第１の基準線に垂直な第２の基準線と交差している。すなわち、複数の第１のピンにおいて、第１のピンの少なくとも１つ、好ましくは、これらの少なくとも半分、より好ましくは、第２の基準線の近傍の１つ又は複数を除く全てが、第１の基準線に対して傾斜している（すなわち、垂直ではない）。したがって、傾斜した第１のピンが隣接する第１のピンから離間する距離は、位置によって変化している。すなわち、斜めの第１のピンとこれに隣接する第１のピンとの間の間隔は、交点に近い第１のピンの一端から、交点から遠い第１のピンの他端に向かって変化している。ここで、間隔とは、隣接する２個の第１のピンの中点間の（第１の基準線の方向に沿った）距離を意味する。この設計により、駆動回路キャリアは、基板の膨張に起因する整列誤差に対してより高い対応性を有する。換言すれば、従来の駆動回路キャリアと比較して、本発明の駆動回路キャリアの第１のピンは、駆動回路キャリアの基板が膨張した後であっても、より優良にディスプレイパネルの第２のピンに取り付けることができる。
【００１４】
更に、第１のピンのそれぞれは、第１の端部と、第１の端部の反対側の第２の端部とを備え、第２の端部よりも第１の端部で広い断面幅を有してもよい。これにより、駆動回路キャリアを第２の基準線に沿って移動させると、第１の基準線に沿った駆動回路キャリアの第１のピンとディスプレイパネルの第２のピンとの間の接触面積が増加し、第１の基準線に沿ったオフセットを補償できる。これにより、駆動回路キャリアの第１のピンとディスプレイパネルの第２のピンとの間の取り付け品質と、駆動回路キャリアとディスプレイパネルとの間の接着強度を向上させることができる。
【００１５】
更に、最も外側の第１のピンに第１のアラインメントマークを設けてもよく、これは、駆動回路キャリアの第１のピンをディスプレイパネルの第２のピンにより速やかに取り付けるための基準として役立つ。
【００１６】
本発明は、更に、第３の基準線に沿って配置された複数の第２のピンが存在する非表示領域を含む、対応するディスプレイパネルを提供する。少なくとも１つの第２のピンの仮想延長線は、第３の基準線に垂直な第４の基準線と交差している。
【００１７】
本発明では、ディスプレイパネルの第２のピンは、駆動回路キャリアの第１のピンに対応するように設けられている。具体的には、第２のピンの第３の基準線に対する角度及び傾斜の方向は、対応する第１のピンの第１の基準線に対する角度及び傾斜の方向と同じであり、各第２のピンの形状及び断面幅は、対応する第１のピンの形状及び断面幅と同一であり、隣接する第２のピン間の間隔は、対応する隣接する第１のピン間の間隔と同一であり、以下同様である。
【００１８】
本発明によれば、第１の基準線に沿って配置された第１のピンの第１の端部は、ディスプレイパネルに向いており、第３の基準線に沿って配置された第２のピンの第１の端部は、駆動回路キャリアに向いている。駆動回路キャリアがディスプレイパネルに完全に接着されると、各第１のピンの第１の端部は、対応する第２のピンの第２の端部に向かい／接近し、各第１のピンの第２の端部は、対応する第２のピンの第１の端部に向かい／接近する。
【００１９】
また、本発明は、フラットパネルディスプレイデバイス及びその製造方法を提供する。この方法は、駆動回路キャリアを準備することと、ディスプレイパネルを準備することと、駆動回路キャリアの第１のアラインメントマークとディスプレイパネルの第２のアラインメントマークとを用いて駆動回路キャリアの第１のピンをディスプレイパネルの第２のピンに整列させることと、第１のピンを第２のピンに取り付けて、駆動回路キャリアをディスプレイパネルに接着することとを含む。
【００２０】
更に、本発明によれば、駆動回路キャリアは、薄膜基板、駆動チップ、又は駆動回路を有する他の構造であってもよい。ディスプレイパネルは、剛性ディスプレイパネル、フレキシブルディスプレイパネル等であってもよい。
【００２１】
以下では、添付の図面及び幾つかの特定の実施形態を参照して、本発明が提案する駆動回路キャリア、ディスプレイパネル、フラットパネルディスプレイデバイス、接着設備及び方法について更に説明する。なお、図を明瞭にするために、数本の第１のピン／第２のピンのみを図に概略的に示しているが、実際の製品は、通常、数百又は数千の第１のピン／第２のピンを含む。更に、全ての図面は、説明を明瞭にするための概略的な性質を有しており、ここに描かれている角度は、実際に意図する値から逸脱する傾向がある。
【００２２】
実施形態１
駆動回路キャリア：図１は、本発明の実施形態１に基づく駆動回路用キャリアの構成図である。図１に示すように、本実施形態では、駆動回路キャリア１は、基板１０と、基板１０の少なくとも一方の面に配置された複数の第１のピン１１とを備える。全ての第１のピン１１は、第１の基準線Ｌ１に沿って配置されている。少なくとも１つの第１のピン１１の仮想延長線は、第１の基準線Ｌ１に垂直な第２の基準線Ｌ２と交差している。
【００２３】
本実施形態では、第１のピン１１のそれぞれは、第２の基準線Ｌ２に沿って、第１の基準線Ｌ１によって２つの部分に分割される。本実施形態では、第１のピン１１の総数が偶数であり、第１のピン１１のうちの最も中央の２個の間に第２の基準線Ｌ２が位置する。また、第２の基準線Ｌ２は、基板１０の中間位置に位置する。
【００２４】
図１に示すように、本実施形態では、全ての第１のピン１１のレイアウトの全体的な形状は、ディスプレイパネルに対向する（短い）上底を有する等脚台形のように見える。すなわち、駆動回路キャリア１をディスプレイパネルに接着すると、等脚台形の上底がディスプレイパネルの表示領域に近づく。ここで、各第１のピン１１は、ディスプレイパネルに近い第１の端部１１０と、ディスプレイパネルから遠い第２の端部１１１とを有する。
【００２５】
本実施形態では、全ての第１のピン１１は、第１の基準線Ｌ１の方向に沿って同じ断面幅を有している。すなわち、全ての第１のピン１１は、第１の端部１１０から第２の端部１１１まで同じ一定の断面幅を有する。また、第１のピン１１の形状は、長方形又は平行四辺形である。各第１のピン１１は、一対の第１の辺と一対の第２の辺とを有する。各第１の辺（又はその仮想延長線）は、第１の基準線Ｌ１と交差し、各第２の辺は、第１の基準線Ｌ１と平行である。すなわち、長方形又は平行四辺形の長辺が第１の基準線Ｌ１と交差し、短辺が第１の基準線Ｌ１と平行である。
【００２６】
図１に示すように、本実施形態では、８個の第１のピン１１がそれぞれ２個ずつの４個の第１のピン群に分割されている。ここでは、４個の第１のピン群を、それぞれＡ１、Ａ２、Ａ３、Ａ４として示している。
【００２７】
本実施形態では、４個の第１のピン群の仮想延長線が第２の基準線Ｌ２と交差している。また、各第１のピン群の全ての（ここでは２個の）第１のピン１１の仮想延長線は、第２の基準線Ｌ２と同じ点で交差しており、異なる第１のピン群の仮想延長線は、異なる点で第２の基準線Ｌ２と交差している。すなわち、第１のピン群Ａ１の２個の第１のピン１１の仮想延長線は、いずれも点Ｄ１０において第２の基準線Ｌ２と交差し、第１のピン群Ａ２の２個の第１のピン１１の仮想延長線は、いずれも点Ｄ１１において第２の基準線Ｌ２と交差し、第１のピン群Ａ３の２個の第１のピン１１の仮想延長線は、いずれも点Ｄ１２において第２の基準線Ｌ２と交差し、第１のピン群Ａ４の２個の第１のピン１１の仮想延長線は、いずれも点Ｄ１３において第２の基準線Ｌ２と交差している。
【００２８】
また、各第１のピン群の全ての第１のピン１１は、第２の基準線Ｌ２の両側に対称に配置されている。すなわち、第１のピン群Ａ１の２個の第１のピン１１は、第２の基準線Ｌ２に対して対称に配置され、第１のピン群Ａ２の２個の第１のピン１１は、第２の基準線Ｌ２に対して対称に配置され、第１のピン群Ａ３の２個の第１のピン１１は、第２の基準線Ｌ２に対して対称に配置され、第１のピン群Ａ４の２個の第１のピン１１は、第２の基準線Ｌ２に対して対称に配置されている。他の実施形態では、１つの第１のピン群内の全ての第１のピン１１を第２の基準線Ｌ２の両側に非対称に配置してもよい。
【００２９】
基板１０は、通常、その対称的な位置で同じ／同様の材料特性を有する。換言すれば、基板１０の任意の２個の対称的な位置は、同時に膨張し、又はいずれも膨張しない。このため、各第１のピン群の全ての第１のピン１１は、第２の基準線Ｌ２の両側に対称に配置することが好ましい。これにより、基板１０の特性との順応性が高まり、膨張／張力による変形に対するより良好な補償が実現する。
【００３０】
全ての第１のピン１１のうち、第２の基準線Ｌ２から最も遠く且つ第２の基準線Ｌ２と交差する仮想延長線を有するものは、その仮想延長線と第２の基準線Ｌ２との間に５°〜１５°の角度を形成することが好ましい。また、第２の基準線Ｌ２と交差する仮想延長線を有する第１のピン群については、第２の基準線Ｌ２から最も遠い第１のピン群における交点から第１のピン１１の先端までの距離は、以下を満たす。
Ｒ１＝３６０×Ｗ１×Ｍ１／（π×θ１）
【００３１】
ここで、先端とは、第１のピン１１の交点から遠い側の端部を指し、Ｒ１は、交点から第２の基準線Ｌ２から最も遠い第１のピン１１の先端までの距離を表し、Ｗ１は、第１のピン１１の断面幅を表し（これは、第１の基準線Ｌ１に沿った断面幅であってもよく、第１の基準線Ｌ１の方向における第１のピンの平均断面幅であってもよい）、Ｍ１は、第１のピン１１の数であり、πは、定数であり、θ１は、第２の基準線Ｌ２から最も遠い第１のピン１１の仮想延長線と第２の基準線Ｌ２との間に形成される角度である。
【００３２】
ディスプレイパネル：本実施形態は、対応するディスプレイパネルも提供する。具体的には、図２は、実施形態１に基づくディスプレイパネルの構成図である。図２に示すように、ディスプレイパネル２は、第３の基準線Ｌ３に沿って複数の第２のピン２１が配置された非表示領域２０を有する。少なくとも１つの第２のピン２１の仮想延長線は、第３の基準線Ｌ３に垂直な第４の基準線Ｌ４と交差している。ここでは、第２のピン２１は、第１のピン１１に対応するように設けられている。
【００３３】
具体的には、各第２のピン２１は、第４の基準線Ｌ４の方向に沿って、第３の基準線Ｌ３によって２つの部分に分割される。本実施形態では、第２のピン２１の総数は偶数であり、第２のピン２１のうちの最も中央の２個の間に第４の基準線Ｌ４が位置する。また、第４の基準線Ｌ４は、非表示領域２０の中間位置に位置する。
【００３４】
図２に示すように、本実施形態では、全ての第２のピン２１のレイアウトの全体的な形状は、駆動回路キャリア１に対向する（長い）下底を有する等脚台形のように見える。すなわち、等脚台形の上底は、ディスプレイパネル２の表示領域２０’に近い。ここでは、各第２のピン２１は、表示領域２０’から遠い第１の端部２１０と、表示領域２０’に近い第２の端部２１１とを有する。
【００３５】
本実施形態では、第２のピン２１の全ては、第３の基準線Ｌ３の方向に沿って同じ断面幅を有する。すなわち、全ての第２のピン２１は、第１の端部２１０から第２の端部２１１まで同じ一定の断面幅を有する。また、各第２のピン２１の形状は、長方形又は平行四辺形である。各第２のピン２１は、一対の第３の辺と一対の第４の辺とを有している。各第３の辺（又はその仮想延長線）は、第３の基準線Ｌ３と交差し、各第４の辺は、第３の基準線Ｌ３と平行である。すなわち、ここでは、長方形又は平行四辺形の長辺が第３の基準線Ｌ３と交差し、短辺が第３の基準線Ｌ３と平行である。
【００３６】
図２に示すように、本実施形態では、８個の第２のピン２１がそれぞれ２個ずつの４個の第２のピン群に分割されている。ここでは、４個の第２のピン群を、それぞれＢ１、Ｂ２、Ｂ３、Ｂ４として示している。
【００３７】
本実施形態では、４個の第２のピン群の仮想延長線が第４の基準線Ｌ４と交差している。また、各第２のピン群の全ての（ここでは２個の）第２のピン２１の仮想延長線は、第４の基準線Ｌ４と同じ点で交差しており、異なる第２のピン群の仮想延長線は、異なる点で第４の基準線Ｌ４と交差している。すなわち、第２のピン群Ｂ１の２個の第２のピン２１の仮想延長線は、いずれも点Ｄ２０において第４の基準線Ｌ４と交差し、第２のピン群Ｂ２の２個の第２のピン２１の仮想延長線は、いずれも点Ｄ２１において第４の基準線Ｌ４と交差し、第２のピン群Ｂ３の２個の第２のピン２１の仮想延長線は、いずれも点Ｄ２２において第４の基準線Ｌ４と交差し、第２のピン群Ｂ４の２個の第２のピン２１の仮想延長線は、いずれも点Ｄ２３において第４の基準線Ｌ４と交差している。
【００３８】
また、各第２のピン群の全ての第２のピン２１は、第４の基準線Ｌ４の両側に対称に配置されている。すなわち、第２のピン群Ｂ１の２個の第２のピン２１は、第４の基準線Ｌ４に対して対称に配置され、第２のピン群Ｂ２の２個の第２のピン２１は、第４の基準線Ｌ４に対して対称に配置され、第２のピン群Ｂ３の２個の第２のピン２１は、第４の基準線Ｌ４に対して対称に配置され、第２のピン群Ｂ４の２個の第２のピン２１は、第４の基準線Ｌ４に対して対称に配置されている。他の実施形態では、１つの第２のピン群の全ての第２のピン２１を第４の基準線Ｌ４の両側に非対称に配置してもよい。
【００３９】
全ての第２のピン２１のうち、第４の基準線Ｌ４から最も遠く且つ第４の基準線Ｌ４と交差する仮想延長線を有するものは、その仮想延長線と第４の基準線Ｌ４との間に５°〜１５°の角度を形成することが好ましい。また、第４の基準線Ｌ４と交差する仮想延長線を有する第２のピン群のうちの１つについては、第４の基準線Ｌ４から最も遠い第２のピン群における交点から第２のピン２１の先端までの距離は、以下を満たす。
Ｒ２＝３６０×Ｗ２×Ｍ２／（π×θ２）
ここで、先端とは、第２のピン２１の交点から遠い側の端部を指し、Ｒ２は、交点から第４の基準線Ｌ４から最も遠い第２のピン２１の先端までの距離を表し、Ｗ２は、第２のピン２１の断面幅を表し（これは、第３の基準線Ｌ３に沿った断面幅であってもよく、第３の基準線Ｌ３の方向における第２のピンの平均断面幅であってもよい）、Ｍ２は、第２のピン２１の数であり、πは、定数であり、θ２は、第４の基準線Ｌ４から最も遠い第２のピン２１の仮想延長線と第４の基準線Ｌ４との間に形成される角度である。
【００４０】
フラットパネルディスプレイデバイス：本実施形態は、対応するフラットパネルディスプレイデバイスも提供する。図１及び図２に示すように、本実施形態において、フラットパネルディスプレイデバイスは、駆動回路キャリア１とディスプレイパネル２とを備える。駆動回路キャリア１は、基板１０と、基板１０の少なくとも１つの表面上に複数の第１のピン１１とを備える。全ての第１のピン１１は、第１の基準線Ｌ１に沿って配置され、少なくとも１つの第１のピン１１の仮想延長線は、第１の基準線Ｌ１に垂直な第２の基準線Ｌ２と交差している。
【００４１】
ディスプレイパネル２は、第３の基準線Ｌ３に沿って複数の第２のピン２１が配置された非表示領域２０を有する。少なくとも１つの第２のピン２１の仮想延長線は、第３の基準線Ｌ３に垂直な第４の基準線Ｌ４と交差している。
【００４２】
駆動回路キャリア１の第１のピン１１は、第２の基準線Ｌ２が第４の基準線Ｌ４と一致するように、ディスプレイパネル２の第２のピン２１に完全に又は部分的に接着される。
【００４３】
実施形態２
同一の要素又は同一の機能を有する要素には、本実施形態及び実施形態１において同じ参照符号を付している。以下、実施形態１との相違点を中心に説明する。
【００４４】
駆動回路キャリア：図３は、本発明の実施形態２に基づく駆動回路キャリアの構成図である。図３に示すように、本実施形態では、１２個の第１のピン１１がそれぞれ４個ずつの３個の第１のピン群に分割されている。ここでは、３個の第１のピン群を、それぞれＡ１、Ａ２、Ａ３として示している。
【００４５】
本実施形態では、第１のピン群Ａ１と第１のピン群Ａ２の仮想延長線は、第２の基準線Ｌ２と交差し、第１のピン群Ａ３は、第２の基準線Ｌ２と平行に延びている。また、第１のピン群Ａ１と第１のピン群Ａ２の４個の第１のピンの仮想延長線は、異なる点で第２の基準線Ｌ２と交差している。具体的には、第１のピン群Ａ１の４個の第１のピン１１の仮想延長線は、全て点Ｄ１０において第２の基準線Ｌ２と交差し、第１のピン群Ａ２の４個の第１のピン１１の仮想延長線は、全て点Ｄ１１において第２の基準線Ｌ２と交差し、第１のピン群Ａ３の４個の第１のピン１１は、全て第２の基準線Ｌ２と平行に延びている。
【００４６】
第１のピン群Ａ３は、第１のピン群Ａ１と第１のピン群Ａ２との間に位置する。更に、第１のピン群Ａ１の第１のピン１１は、第２の基準線Ｌ２に対して全て同じ側に配置され、第１のピン群Ａ２の第１のピン１１は、第２の基準線Ｌ２に対して全ての同じ側に配置され、第１のピン群Ａ１の第１のピン１１と第１のピン群Ａ２の第１のピン１１は、第２の基準線Ｌ２の両側にそれぞれ配置されている。第１のピン群Ａ３の４個の第１のピン１１は、第２の基準線Ｌ２の両側に配置されている。すなわち、第２の基準線Ｌ２は、第１のピン群Ａ３内に位置する。
【００４７】
図３に示すように、本実施形態では、第１のピン群Ａ１の４個の第１のピン１１は、第１の基準線Ｌ１に沿って同じ断面幅ＷＡ１を有し、第１のピン群Ａ２の４個の第１のピン１１は、第１の基準線Ｌ１に沿って同じ断面幅ＷＡ２を有し、第１のピン群Ａ３の４個の第１のピン１１は、第１の基準線Ｌ１に沿って同じ断面幅ＷＡ３を有する。ＷＡ３は、ＷＡ１より小さく、ＷＡ１は、ＷＡ２より小さい。
【００４８】
基板１０の中央位置（概ね第２の基準線Ｌ２の位置）を基準として、基板１０が変形すると、両側の部分は、中間の部分よりも大きく変形する傾向がある。ここで、第１のピン１１の断面幅を異ならせる（中央から両側に向かって増加させる）ことにより、基板１０の材料特性との順応性が高まり、基板１０の様々な位置での膨張／張力による変形に対する補償が最適化される。
【００４９】
第１のピン群Ａ１又はＡ２において、点Ｄ１０又は点Ｄ１１から、第１のピン群Ａ１又はＡ２において第２の基準線Ｌ２から最も遠い第１のピン１１の１つの先端までの距離は、以下を満たすことが好ましい。
Ｒ１＝３６０×Ｗ１×Ｍ１／（π×θ１）
ここで、先端とは、点Ｄ１０又は点Ｄ１１から遠い第１のピン１１の端部を指し、Ｒ１は、点Ｄ１０又は点Ｄ１１から第２の基準線Ｌ２から最も遠い第１のピン１１の先端までの距離を表し、Ｗ１は、第２の基準線Ｌ２から最も遠い第１のピン１１の断面幅を表し、Ｍ１は、第１のピン１１の数であり、πは、定数であり、θ１は、第２の基準線Ｌ２から最も遠い第１のピン１１の仮想延長線と第２の基準線Ｌ２との間に形成される角度である。θ１の範囲は、５°〜１５°であることが好ましい。
【００５０】
ディスプレイパネル：本実施形態は、対応するディスプレイパネルも提供する。具体的には、図４は、実施形態２に基づくディスプレイパネルの構成図である。図４に示すように、ディスプレイパネル２は、複数の第２のピン２１が配置された非表示領域２０を有する。第２のピン２１は、第１のピン１１に対応するように設けられている。第２のピン２１の詳細については、本実施形態の第１のピン１１及び実施形態１を参照でき、その詳細な説明は省略する。
【００５１】
フラットパネルディスプレイデバイス：本実施形態は、対応するフラットパネルディスプレイデバイスも提供する。図３及び図４に示すように、本実施形態では、フラットパネルディスプレイデバイスは、駆動回路キャリア１及びディスプレイパネル２を備える。駆動回路キャリア１の第１のピン１１は、第２の基準線Ｌ２が第４の基準線Ｌ４と一致するように、ディスプレイパネル２の第２のピン２１に完全に又は部分的に接着される。
【００５２】
実施形態３
同一の要素又は同一の機能を有する要素には、本実施形態及び先の実施形態において同じ参照符合を付している。以下では、本実施形態と先の実施形態との相違点を中心に説明する。
【００５３】
駆動回路キャリア：図５は、本発明の実施形態３に基づく駆動回路用キャリアの構成図である。図５に示すように、本実施形態では、１２個の第１のピン１１が、２個の第１のピン群、すなわち、第１のピン群Ａ１と第１のピン群Ａ２に分割されている。第１のピン群Ａ１は、８個の第１のピン１１を含み、第１のピン群Ａ２は、４個のピンを含む。
【００５４】
本実施形態では、第１のピン群Ａ１の仮想延長線は、第２の基準線Ｌ２と交差し、第１のピン群Ａ２は、第２の基準線Ｌ２と平行に延びている。具体的には、第１のピン群Ａ１の８個の第１のピン１１の仮想延長線は、全て点Ｄ１０において第２の基準線Ｌ２と交差しており、第１のピン群Ａ２の４個の第１のピン１１は、全て第２の基準線Ｌ２と平行に延びている。第１のピン群Ａ２は、第１のピン群Ａ１の内側に位置する。また、第１のピン群Ａ１と第１のピン群Ａ２とは、第２の基準線Ｌ２に対して対称に配置されている。
【００５５】
第１のピン群Ａ１において、第２の基準線Ｌ２に近い１つの第１のピン１１の仮想延長線と第２の基準線Ｌ２との間に形成される角度は、第２の基準線Ｌ２から遠い他の１つの第１のピン１１の仮想延長線と第２の基準線Ｌ２との間に形成される角度より小さい。好ましくは、第２の基準線Ｌ２に最も近い第１のピンから第２の基準線Ｌ２から最も遠い第１のピンの方向に向けて、第１のピンの仮想延長線と第２の基準線Ｌ２との間に形成される角度は、徐々に大きくなる。第２の基準線Ｌ２に最も近い第１のピンから第２の基準線Ｌ２から遠い第１のピンの方向において、各第１のピンの仮想延長線と第２の基準線Ｌ２との間に形成される角度は、前の第１のピンと比較して、同じ増分で増加してもよく、異なる増分で増加してもよい。第２の基準線Ｌ２に最も近い第１のピンから第２の基準線Ｌ２から最も遠い第１のピンの方向において、各第１のピンが前の第１のピンと比較して、その仮想延長線と第２の基準線Ｌ２との間に形成される角度が異なる増分で増加する場合、その増分は、この方向に向かって増加してもよく、減少してもよい。
【００５６】
第１のピン群Ａ１は、第２の基準線Ｌ２に対して対称であるため、第２の基準線Ｌ２の一方の側の第１のピン１１の角度関係は、第２の基準線Ｌ２の他方の側の対応する第１のピンの角度関係と同じである。したがって、第２の基準線Ｌ２の一方の側の第１のピン群Ａ１の第１のピン１１のみを例として、本実施形態を更に説明する。
【００５７】
第１のピン群Ａ１において、第２の基準線Ｌ２の一方の側には、説明の便宜のため、第２の基準線Ｌ２に最も近い第１のピンから第２の基準線Ｌ２から最も遠い第１のピンの方向に、第１のピン１１ａ、第１のピン１１ｂ、第１のピン１１ｃ、及び第１のピン１１ｄの符号が付された４個の第１のピン１１がある。第２の基準線Ｌ２に最も近い第１のピンから第２の基準線Ｌ２から最も遠い第１のピンの方向において、前の第１のピンと比較して、各第１のピンが仮想延長線と第２の基準線Ｌ２との間に形成される角度が同じ増分を有する場合、第１のピン１１ａと第２の基準線Ｌ２との間に形成される角度は、ａｎｇ１であり、第１のピン１１ｂと第２の基準線Ｌ２との間に形成される角度は、（ａｎｇ１＋ａｎｇ２）であり、第１のピン１１ｃと第２の基準線Ｌ２との間に形成される角度は、（ａｎｇ１＋２＊ａｎｇ２）であり、第１のピン１１ｄと第２の基準線Ｌ２との間に形成される角度は、（ａｎｇ１＋３＊ａｎｇ２）である。
【００５８】
本実施形態では、第２の基準線Ｌ２は、基板１０の中間位置又はその近傍に位置している。したがって、基板１０のエッジ（又は両側）に位置する複数の第１のピン１１は、第１の基準線Ｌ１に対して中間位置にあるものよりも大きく傾斜している。通常、基板１０のエッジ位置は、引張変形（すなわち、膨張）が生じやすく、その中間部分では、引張変形が生じず、又は引張変形の程度が低い。第２の基準線Ｌ２に最も近い第１のピン１１から第２の基準線Ｌ２から最も遠い第１のピン１１の方向に向けて、各第１のピンの仮想延長線と第２の基準線Ｌ２との間に形成される角度を増加させることによって、基板１０の特性との順応性が高まり、その引張変形に対する大きな補償が可能になる。
【００５９】
本実施形態では、複数の第１のピン１１のうち隣接する第１のピンは、等間隔で離間している。すなわち、第１のピン群Ａ１、第１のピン群Ａ２、及び２個のグループのそれぞれにおいて隣接する第１のピン１１は、等間隔で離間している。なお、他の実施形態では、複数の第１のピン１１において、第２の基準線Ｌ２に近い隣接する第１のピン１１間の間隔は、第２の基準線Ｌ２から遠い隣接する第１のピン１１の間隔より狭くてもよい。これに代えて、複数の第１のピン１１のうち、第２の基準線Ｌ２に近い隣接する第１のピン１１間の間隔は、第２の基準線Ｌ２から遠い隣接する第１のピン１１の間隔より広くてもよい。また、全ての第１のピンにおいて、第２の基準線Ｌ２に近い隣接する第１のピン１１間の間隔は、第２の基準線Ｌ２から遠い隣接する第１のピン１１の間隔より狭くてもよい。これに代えて、第１のピン群Ａ１では、第２の基準線Ｌ２に近い隣接する第１のピン１１間の間隔は、第２の基準線Ｌ２から遠い隣接する第１のピン１１間の間隔より狭く、第２のピン群Ａ２の第１のピン１１は、全て（４個）が等間隔になるように配置してもよい。上述した隣接する第１のピン１１間の間隔とは、第１の基準線Ｌ１に沿った隣接する２個の第１のピンの中点（すなわち、隣接する第１のピンと第１の基準線Ｌ１とが重なることによって形成される２個のセグメントの中点）の間の距離である。
【００６０】
図５に示すように、本実施形態では、各第１のピン１１の断面幅は、同じである。すなわち、第１のピン群Ａ１の８個の第１のピン１１は、全て同じ断面幅ＷＡ１を有し、第１のピン群Ａ２の４個の第１のピン１１は、全て同じ断面幅ＷＡ２を有し、ＷＡ１＝ＷＡ２である。他の実施形態では、第２の基準線Ｌ２に近い第１のピン１１の断面幅は、第２の基準線Ｌ２から遠い第１のピン１１の断面幅より狭くてもよい。これに代えて、第２の基準線Ｌ２に近い第１のピン１１の断面幅は、第２の基準線Ｌ２から遠い第１のピン１１の断面幅より広くてもよい。また、全ての第１のピンにおいて、第２の基準線Ｌ２に近い第１のピン１１の断面幅は、第２の基準線Ｌ２から遠い第１のピン１１の断面幅より狭くてもよい。これに代えて、第１のピン群Ａ１においては、第２の基準線Ｌ２に近い第１のピンの断面幅が第２の基準線Ｌ２から遠い第１のピン１１の断面幅より狭く、第２のピン群Ａ２では、全ての（４個の）第１のピン１１が等しい断面幅を有していてもよい。好ましくは、各第１のピンの断面幅は、第２の基準線Ｌ２に最も近い第１のピンから第２の基準線Ｌ２から最も遠い第１のピンへの方向に向けて増加させてもよい。上述した第１のピン１１の断面幅は、第１の基準線Ｌ１に沿う長さ、すなわち、第１のピン１１と重なる第１の基準線Ｌ１の部分の長さであってもよい。
【００６１】
第１のピン群Ａ１において、好ましくは、点Ｄ１０から第２の基準線Ｌ２から最も遠い第１のピン１１の先端までの距離は、以下を満たす。
Ｒ１＝３６０×Ｗ１×Ｍ１／（π×θ１）
ここで、先端とは、点Ｄ１０から遠い側の第１のピン１１の先端を指し、Ｒ１は、点Ｄ１０から第２の基準線Ｌ２から最も遠い第１のピン１１の先端までの距離を表し、Ｗ１は、第２の基準線Ｌ２から最も遠い第１のピン１１の断面幅を示し、Ｍ１は、第１のピン１１の数であり、πは、定数であり、θ１は、第２の基準線Ｌ２から最も遠い第１のピン１１の仮想延長線と第２の基準線Ｌ２との間に形成される角度である。θ１の範囲は、５°〜１５°であることが好ましい。
【００６２】
ディスプレイパネル：本実施形態は、対応するディスプレイパネルも提供する。具体的には、図６は、実施形態３に基づくディスプレイパネルの構成図である。図６に示すように、ディスプレイパネル２は、複数の第２のピン２１が配置された非表示領域２０を有する。第２のピン２１は、第１のピン１１に対応するように設けられている。第２のピン２１の詳細については、本実施形態の第１のピン１１及び実施形態１を参照でき、その詳細な説明は省略する。
【００６３】
フラットパネルディスプレイデバイス：本実施形態は、対応するフラットパネルディスプレイデバイスも提供する。図５及び図６に示すように、本実施形態では、駆動回路キャリア１とディスプレイパネル２とを備えている。駆動回路キャリア１の第１のピン１１は、第２の基準線Ｌ２が第４の基準線Ｌ４と一致するように、ディスプレイパネル２の第２のピン２１に完全に又は部分的に接着される。
【００６４】
実施形態４
同一の要素又は同一の機能を有する要素には、本実施形態及び先の実施形態において同じ参照符合を付している。以下では、本実施形態と先の実施形態との相違点を中心に説明する。
【００６５】
駆動回路キャリア：図７は、本発明の実施形態４に基づく駆動回路キャリアの構成図である。図７に示すように、本実施形態では、２８個の第１のピン１１が４個の第１のピン群Ａ１〜Ａ４に分割されている。第１のピン群Ａ１〜Ａ３のそれぞれは、８個の第１のピン１１を含み、第１のピン群Ａ４は、４個の第１のピン１１を含む。
【００６６】
本実施形態では、第１のピン群Ａ１〜Ａ３の仮想延長線は、第２の基準線Ｌ２と同じ点Ｄ１０で交差し、第１のピン群Ａ４は、第２の基準線Ｌ２と平行に延びている。更に、第１のピン群Ａ２は、第１のピン群Ａ３の内側に位置し（すなわち、第１のピン群Ａ２は、第１のピン群Ａ３よりも基板１０の中間に近い位置に位置し）、第１のピン群Ａ１は、第１のピン群Ａ２の内側に位置し、第１のピン群Ａ４は、第１のピン群Ａ１の内側に位置する。また、第１のピン群Ａ１、第１のピン群Ａ２、第１のピン群Ａ３、及び第１のピン群Ａ４は、第２の基準線Ｌ２に対して対称である。
【００６７】
第１のピン群Ａ１、第１のピン群Ａ２、及び第１のピン群Ａ３のそれぞれにおいて、第２の基準線Ｌ２に近い第１のピン１１の仮想延長線と角度と第２の基準線Ｌ２との間に形成される角度は、第２の基準線Ｌ２より遠い他の第１のピン１１の仮想延長線と第２の基準線Ｌ２との間に形成される角度より小さい。好ましくは、第２の基準線Ｌ２に最も近い第１のピンから第２の基準線Ｌ２から最も遠い第１のピンの方向に沿って、第１のピンの仮想延長線と第２の基準線Ｌ２との間に形成される角度は、徐々に大きくなる。また、全ての第１のピン群のうち、第２の基準線Ｌ２に最も近い第１のピン群から第２の基準線Ｌ２から最も遠い第１のピン群の方向に沿って、各第１のピン群は、対応する第１のピンの仮想延長線と第２の基準線Ｌ２との間に形成される角度の増分が大きくなることが好ましい。
【００６８】
また、全ての第１のピン１１のうち、第１の基準線Ｌ１に沿った少なくとも２個の第１のピン１１の断面幅が異なっている。第１のピン１１の断面幅を異ならせることにより、基板１０の特性に対する順応性を高めることができる。本実施形態では、各第１のピン群において、各第１のピンは、第１の基準線Ｌ１に沿った断面幅が同一であり、全ての第１のピン群のうち、第２の基準線Ｌ２に最も近い第１のピン群から第２の基準線Ｌ２から最も遠い第１のピン群の方向において、第１のピン群の第１のピンは、第１の基準線Ｌ１に沿った断面幅が広くなる。第１のピン群のそれぞれにおいて、隣接する第１のピンは、第１の基準線Ｌ１に沿って等間隔で離間している。全ての第１のピン群のうち、第２の基準線Ｌ２に最も近い第１のピン群から第２の基準線Ｌ２から最も遠い第１のピン群の方向に沿って、第１の基準線Ｌ１における隣接する第１のピン間の間隔が広くなる。
【００６９】
第１のピン群Ａ１、第１のピン群Ａ２、及び第１のピン群Ａ３は、第２の基準線Ｌ２に対して対称であるため、第２の基準線Ｌ２の一方の側の第１のピン１１の角度関係は、第２の基準線Ｌ２の他方の側の対応する第１のピンの角度関係と同じである。したがって、第１のピン群Ａ１、第１のピン群Ａ２、及び第１のピン群Ａ３の例として、第２の基準線Ｌ２の一方側の第１のピン１１のみを説明する。
【００７０】
例えば、第１のピン群Ａ１において、第２の基準線Ｌ２の一方の側には、説明の便宜のため、第２の基準線Ｌ２に最も近い第１のピンから第２の基準線Ｌ２から最も遠い第１のピンの方向に第１のピン１１ａ−Ａ１、第１のピン１１ｂ−Ａ１、第１のピン１１ｃ−Ａ１、及び第１のピン１１ｄ−Ａ１の符号が付された４個の第１のピン１１がある。好ましくは、第１のピン１１ａ−Ａ１の仮想延長線と第２の基準線Ｌ２との間に形成される角度は、ａｎｇ１であり、第１のピン１１ｂ−Ａ１の仮想延長線と第２の基準線Ｌ２との間に形成される角度は、（ａｎｇ１＋ａｎｇ２）であり、第１のピン１１ｃ−Ａ１の仮想延長線と第２の基準線Ｌ２との間に形成される角度は、（ａｎｇ１＋２＊ａｎｇ２）であり、第１のピン１１ｄ−Ａ１の仮想延長線と第２の基準線Ｌ２との間に形成される角度は、（ａｎｇ１＋３＊ａｎｇ２）である。更に、第１のピン１１ａ−Ａ１と第１のピン１１ｂ−Ａ１との間の距離は、ｄ１であり、第１のピン１１ｂ−Ａ１と第１のピン１１ｃ−Ａ１との間の距離は、ｄ１であり、第１のピン１１ｃ−Ａ１と第１のピン１１ｄ−Ａ１との間の距離は、ｄ１である。第１のピン１１ａ−Ａ１、第１のピン１１ｂ−Ａ１、第１のピン１１ｃ−Ａ１、及び第１のピン１１ｄ−Ａ１の断面幅は、それぞれｄ２である。
【００７１】
第１のピン群Ａ２において、第２の基準線Ｌ２の一方の側には、説明の便宜のため、第２の基準線Ｌ２に最も近い第１のピンから第２の基準線Ｌ２から最も遠い第１のピンの方向に、第１のピン１１ａ−Ａ２、第１のピン１１ｂ−Ａ２、第１のピン１１ｃ−Ａ２、及び第１のピン１１ｄ−Ａ２の符号が付された４個の第１のピン１１がある。好ましくは、第１のピン１１ａ−Ａ２の仮想延長線と第２の基準線Ｌ２との間に形成される角度は、（ａｎｇ１＋３＊ａｎｇ２＋ａｎｇ３）であり、第１のピン１１ｂ−Ａ２の仮想延長線と第２の基準線Ｌ２との間に形成される角度は、（ａｎｇ１＋３＊ａｎｇ２＋２＊ａｎｇ３）であり、第１のピン１１ｃ−Ａ２の仮想延長線と第２の基準線Ｌ２との間に形成される角度は、（ａｎｇ１＋３＊ａｎｇ２＋３＊ａｎｇ３）であり、第１のピン１１ｄ−Ａ２の仮想延長線と第２の基準線Ｌ２との間に形成される角度は、（ａｎｇ１＋３＊ａｎｇ２＋４＊ａｎｇ３）である。好ましくは、ａｎｇ３は、ａｎｇ２より大きい。第１のピン１１ａ−Ａ２と第１のピン１１ｂ−Ａ２との間の距離は、ｄ３であり、第１のピン１１ｂ−Ａ２と第１のピン１１ｃ−Ａ２との間の距離は、ｄ３であり、第１のピン１１ｃ−Ａ２と第１のピン１１ｄ−Ａ２との間の距離は、ｄ３である。ここでは、ｄ３は、ｄ１以上であってもよい。第１のピン１１ａ−Ａ２、第１のピン１１ｂ−Ａ２、第１のピン１１ｃ−Ａ２、及び第１のピン１１ｄ−Ａ２の断面幅は、それぞれｄ４である。好ましくは、ｄ４は、ｄ２より大きい。
【００７２】
第１のピン群Ａ３において、第２の基準線Ｌ２の一方の側には、説明の便宜のため、第２の基準線Ｌ２に最も近い第１のピンから第２の基準線Ｌ２から最も遠い第１のピンの方向に第１のピン１１ａ−Ａ３、第１のピン１１ｂ−Ａ３、第１のピン１１ｃ−Ａ３、第１のピン１１ｄ−Ａ３の符号が付された４個の第１のピン１１がある。好ましくは、第１のピン１１ａ−Ａ３の仮想延長線と第２の基準線Ｌ２との間に形成される角度は、（ａｎｇ１＋３＊ａｎｇ２＋４＊ａｎｇ３＋ａｎｇ４）であり、第１のピン１１ｂ−Ａ３の仮想延長線と第２の基準線Ｌ２との間に形成される角度は、（ａｎｇ１＋３＊ａｎｇ２＋４＊ａｎｇ３＋２＊ａｎｇ４）であり、第１のピン１１ｃ−Ａ３の仮想延長線と第２の基準線Ｌ２との間に形成される角度は、（ａｎｇ１＋３＊ａｎｇ２＋４＊ａｎｇ３＋３＊ａｎｇ４）であり、第１のピン１１ｄ−Ａ３の仮想延長線と第２の基準線Ｌ２との間に形成される角度は、（ａｎｇ１＋３＊ａｎｇ２＋４＊ａｎｇ３＋４＊ａｎｇ４）である。好ましくは、ａｎｇ４は、ａｎｇ３より大きい。第１のピン１１ａ−Ａ３と第１のピン１１ｂ−Ａ３との間の距離は、ｄ５であり、第１のピン１１ｂ−Ａ３と第１のピン１１ｃ−Ａ３との間の距離は、ｄ５であり、第１のピン１１ｃ−Ａ３と第１のピン１１ｄ−Ａ３との間の距離は、ｄ５である。ここで、ｄ５は、ｄ３以上であってもよい。第１のピン１１ａ−Ａ３、第１のピン１１ｂ−Ａ３、第１のピン１１ｃ−Ａ３、及び第１のピン１１ｄ−Ａ３の断面幅は、それぞれｄ６である。好ましくは、ｄ６は、ｄ４より大きい。
【００７３】
各第１のピン群において、点Ｄ１０から第２の基準線Ｌ２から最も遠い第１のピン１１の先端までの距離は、以下を満たすことが好ましい。
Ｒ１＝３６０×Ｗ１×Ｍ１／（π×θ１）
ここで、先端とは、点Ｄ１０から遠い第１のピン１１の端部を指し、Ｒ１は、点Ｄ１０から第２の基準線Ｌ２から最も遠い第１のピン１１の先端までの距離を表し、Ｗ１は、第２の基準線Ｌ２から最も遠い第１のピン１１の断面幅、Ｍ１は、第１のピン１１の数であり、πは、定数であり、θ１は、第２の基準線Ｌ２から最も遠い第１のピン１１の仮想延長線と第２の基準線Ｌ２との間に形成される角度である。θ１の範囲は、５°〜１５°であることが好ましい。
【００７４】
ディスプレイパネル：本実施形態は、対応するディスプレイパネルも提供する。具体的には、図８は、実施形態４に基づくディスプレイパネルの構成図である。図８に示すように、ディスプレイパネル２は、複数の第２のピン２１が形成された非表示領域２０を有する。第２のピン２１は、第１のピン１１に対応するように設けられている。第２のピン２１の詳細については、本実施形態の第１のピン１１及び実施形態１を参照でき、その詳細な説明は省略する。
【００７５】
フラットパネルディスプレイデバイス：本実施形態は、対応するフラットパネルディスプレイデバイスも提供する。図７及び図８に示すように、本実施形態では、フラットパネルディスプレイデバイスは、駆動回路キャリア１とディスプレイパネル２とを備える。駆動回路キャリア１の第１のピン１１は、第２の基準線Ｌ２が第４の基準線Ｌ４と一致するように、ディスプレイパネル２の第２のピン２１に完全に又は部分的に接着される。
【００７６】
実施形態５
同一の要素又は同一の機能を有する要素には、本実施形態及び先の実施形態において同じ参照符合を付している。以下では、本実施形態と先の実施形態との相違点を中心に説明する。
【００７７】
駆動回路キャリア：図９は、本発明の実施形態５に基づく駆動回路用キャリアの構成図である。図９に示すように、本実施形態に基づく第１のピン１１の全体のレイアウト形状は、直角台形のように見える。更に、各第１のピン１１は、第２の基準線Ｌ２の方向に沿って、第１の基準線Ｌ１によって２つの部分に分割される。
【００７８】
第１のピン１１の数は８個であり、これらは、それぞれ４個の第１のピンからなる２個の第１のピン群Ａ１、Ａ２に分割されている。本実施形態では、第１のピン群Ａ１の仮想延長線は、点Ｄ１０で第２の基準線Ｌ２と交差し、第１のピン群Ａ２は、第２の基準線Ｌ２と平行に延びている。第１のピン群Ａ２は、第１のピン群Ａ１の片側に位置する。
【００７９】
第２の基準線Ｌ２は、第１のピン群Ａ１内にあってもよく、第１のピン群Ａ２内にあってもよく、第１のピン群Ａ１と第１のピン群Ａ２との間にあってもよく、全ての第１のピン１１の片側にあってもよい。本実施形態では、第２の基準線Ｌ２は、第１のピン群Ａ２内に位置する。
【００８０】
図９に示すように、第１のピン群Ａ１において、第２の基準線Ｌ２に近い第１のピン１１の仮想延長線と第２の基準線Ｌ２との間に形成される角度は、第２の基準線Ｌ２から遠い第１のピン１１の仮想延長線と第２の基準線Ｌ２との間に形成される角度より小さい。好ましくは、第２の基準線Ｌ２に最も近い第１のピンから第２の基準線Ｌ２から最も遠い第１のピンの方向に、第１のピンの仮想延長線と第２の基準線Ｌ２との間に形成される角度は、徐々に大きくなる。
【００８１】
第１のピン群Ａ１においては、点Ｄ１０から第２の基準線Ｌ２から最も遠い第１のピン１１の先端までの距離は、以下を満たす。
Ｒ１＝３６０×Ｗ１×Ｍ１／（π×θ１）
先端とは、点Ｄ１０から遠い側の第１のピン１１の先端を指し、Ｒ１は、点Ｄ１０から第２の基準線Ｌ２から最も遠い第１のピン１１の先端までの距離を表し、Ｗ１は、第２の基準線Ｌ２から最も遠い第１のピン１１の断面幅を表し、Ｍ１は、第１のピン１１の数であり、πは、定数であり、θ１は、第２の基準線Ｌ２から最も遠い第１のピン１１の仮想延長線と第２の基準線Ｌ２との間に形成される角度である。θ１の範囲は、５°〜１５°であることが好ましい。
【００８２】
ディスプレイパネル：本実施形態は、対応するディスプレイパネルも提供する。具体的には、図１０は、実施形態５に基づくディスプレイパネルの構成図である。図１０に示すように、ディスプレイパネル２は、複数の第２のピン２１が配置された非表示領域２０を有する。第２のピン２１は、第１のピン１１に対応するように設けられている。第２のピン２１の詳細については、本実施形態の第１のピン１１及び実施形態１を参照でき、その詳細な説明は省略する。
【００８３】
フラットパネルディスプレイデバイス：本実施形態では、対応するフラットパネルディスプレイデバイスを提供する。図９及び図１０に示すように、本実施形態では、フラットパネルディスプレイデバイスは、駆動回路キャリア１とディスプレイパネル２とを備える。駆動回路キャリア１の第１のピン１１は、第２の基準線Ｌ２が第４の基準線Ｌ４と一致するように、ディスプレイパネル２の第２のピン２１に完全に又は部分的に接着される。
【００８４】
実施形態６
同一の要素又は同一の機能を有する要素には、本実施形態及び先の実施形態において同じ参照符合を付している。以下では、本実施形態と先の実施形態との相違点を中心に説明する。
【００８５】
駆動回路キャリア：図１１は、本発明の実施形態６に基づく駆動回路キャリアの構成図である。図１１に示すように、本実施形態に基づく第１のピン１１の全体のレイアウト形状は、直角台形のように見える。第１のピン１１の数は１６であり、これらは、それぞれ４個の第１のピン１１からなる４個の第１のピン群Ａ１〜Ａ４に分割されている。本実施形態では、第１のピン群Ａ１〜Ａ３の仮想延長線は、第２の基準線Ｌ２と交差し、第１のピン群Ａ４は、第２の基準線Ｌ２と平行に延びている。第１のピン群Ａ４、第１のピン群Ａ１、第１のピン群Ａ２、及び第１のピン群Ａ３は、第１の基準線Ｌ１に沿ってこの順に配置されている。
【００８６】
本実施形態では、第２の基準線Ｌ２は、第１のピン群Ａ４内に位置している。すなわち、第２の基準線Ｌ２と交差する仮想延長線を有する３個の第１のピン群のうち、第１のピン群Ａ１は、第２の基準線Ｌ２に最も近く、第１のピン群Ａ２は、第２の基準線Ｌ２に近く、第１のピン群Ａ３は、第２の基準線Ｌ２から最も遠い。
【００８７】
図１１に示すように、第１のピン群Ａ１、第１のピン群Ａ２、及び第１のピン群Ａ３において、第２の基準線Ｌ２に近い第１のピン１１の仮想延長線と第２の基準線Ｌ２との間に形成される角度は、第２の基準線Ｌ２から遠い他の１つの第１のピン１１の仮想延長線と第２の基準線Ｌ２との間に形成される角度より小さい。好ましくは、第２の基準線Ｌ２に最も近い第１のピンから第２の基準線Ｌ２から最も遠い第１のピンの方向に向けて、第１のピンの仮想延長線と第２の基準線Ｌ２との間に形成される角度は、徐々に大きくなる。
【００８８】
また、全ての第１のピン群のうち、第２の基準線Ｌ２に最も近い第１のピン群から第２の基準線Ｌ２から最も遠い第１のピン群の方向（すなわち、第１のピン群Ａ１から第１のピン群Ａ３の方向）に沿って、各第１のピン群は、対応する第１のピンの仮想延長線と第２の基準線Ｌ２との間に形成される角度の増分が第１のピン群と比較してより大きくなることが好ましい。
【００８９】
更に、各第１のピン群において、各第１のピンは、第１の基準線Ｌ１に沿った同じ断面幅を有する。全ての第１のピン群のうち、第２の基準線に最も近い第１のピン群から第２の基準線から最も遠い第１のピン群の方向に向かって、各第１のピン群は、第１の基準線に沿った断面幅が、前の第１のピン群と比べて広くなる。
【００９０】
第１のピン群のそれぞれにおいて、隣接する第１のピンは、第１の基準線Ｌ１に沿って等間隔で離間している。第２の基準線に最も近い第１のピン群から第２の基準線から最も遠い第１のピン群の方向に沿った全ての第１のピン群において、第１の基準線に沿った隣接する第１のピン間の間隔が広くなる。また、第１の基準線Ｌ１に沿った第１のピン群Ａ４の隣接する第１のピン１１間の間隔は、第１の基準線Ｌ１に沿った第１のピン群Ａ１の隣接する第１のピン１１間の間隔より狭くてもよい。
【００９１】
第１のピン１１を第１の基準線Ｌ１に沿って直角台形の全体形状に配置することにより、第１のピン群Ａ４を基準として、駆動回路キャリア１のディスプレイパネルへの接着を容易にすることができる。また、第２の基準線に最も近い第１のピン群から第２の基準線から最も遠い第１のピン群に向かう方向において、各第１のピン群において、対応する第１のピンの仮想延長線と第２の基準線との間に形成される角度の増分を大きくし、又は隣接する第１のピンの間隔を同じ又はより広くし、又は断面幅をより広くすることによって、基板１０の特性との順応性を高め、その引張変形を補償できる。
【００９２】
ディスプレイパネル：本実施形態は、対応するディスプレイパネルも提供する。具体的には、図１２は、実施形態６に基づくディスプレイパネルの構成図である。図１２に示すように、ディスプレイパネル２は、複数の第２のピン２１が配置された非表示領域２０を有する。第２のピン２１は、第１のピン１１に対応するように設けられている。第２のピン２１の詳細については、本実施形態の第１のピン１１及び実施形態１を参照でき、その詳細な説明は省略する。
【００９３】
フラットパネルディスプレイデバイス：本実施形態は、対応するフラットパネルディスプレイデバイスも提供する。図１１及び図１２に示すように、本実施形態では、フラットパネルディスプレイデバイスは、駆動回路キャリア１とディスプレイパネル２とを備える。駆動回路キャリア１の第１のピン１１は、第２の基準線Ｌ２が第４の基準線Ｌ４と一致するように、ディスプレイパネル２の第２のピン２１に完全に又は部分的に接着される。
【００９４】
実施形態７
同一の要素又は同一の機能を有する要素には、本実施形態及び先の実施形態において同じ参照符合を付している。以下では、本実施形態と先の実施形態との相違点を中心に説明する。
【００９５】
駆動回路キャリア：図１３は、本発明の実施形態７に基づく駆動回路用キャリアの構成図である。図１３に示すように、本実施形態では、８個の第１のピン１１が８個の第１のピン群に分割され、第１のピン群Ａ８、第１のピン群Ａ６、第１のピン群Ａ４、第１のピン群Ａ２、第１のピン群Ａ１、第１のピン群Ａ３、第１のピン群Ａ５、及び第１のピン群Ａ７が第１の基準線Ｌ１に沿ってこの順に設けられている。
【００９６】
本実施形態では、８個の第１のピン群の仮想延長線は、全て第２の基準線Ｌ２と交差している。また、各第１のピン群の仮想延長線は、異なる点で第２の基準線Ｌ２と交差している。具体的には、第１のピン群Ａ１〜Ａ８の仮想延長線は、点Ｄ１０〜Ｄ１７において第２の基準線Ｌ２と交差している。
【００９７】
本実施形態では、第２の基準線Ｌ２に近い第１のピン１１の仮想延長線は、複数の第１のピン１１に近い点で第２の基準線Ｌ２と交差していてもよい（ここでは、複数の第１のピン１１を全体とみなしてもよい）。他の実施形態では、第２の基準線Ｌ２から遠い第１のピン１１の仮想延長線が複数の第１のピン１１に近い点で第２の基準線Ｌ２と交差してもよく、複数の第１のピン１１の仮想延長線の少なくとも一部が互いに交差してもよい。
【００９８】
また、第２の基準線Ｌ２に近い第１のピン１１の仮想延長線と第２の基準線Ｌ２との間に形成される角度は、第２の基準線Ｌ２から遠い第１のピン１１の仮想延長線と第２の基準線Ｌ２との間に形成される角度より小さくてもよく、大きくてもよく、等しくてもよい。好ましくは、第２の基準線に最も近い第１のピンから第２の基準線から最も遠い第１のピンの方向において、各第１のピンは、その前の第１のピンと比較して、その仮想延長線と第２の基準線との間に形成される角度がより大きい。また、第２の基準線に最も近い第１のピンから第２の基準線から最も遠い第１のピンの方向において、各第１のピンは、前の第１のピンと比較して、その仮想延長線と第２の基準線との間に形成される角度の増分が同じであっても異なっていてもよい。
【００９９】
本実施形態では、８個の第１のピン１１が第２の基準線Ｌ２の両側に均等に配置されている。一方の側では、第２の基準線Ｌ２に近い第１のピン１１の仮想延長線と第２の基準線Ｌ２との間に形成される角度は、第２の基準線Ｌ２から遠い第１のピン１１の仮想延長線と第２の基準線Ｌ２との間に形成される角度より小さく、他方の側では、第２の基準線Ｌ２に近い第１のピン１１の仮想延長線と第２の基準線Ｌ２との間に形成される角度は、第２の基準線Ｌ２から遠い第１のピン１１の仮想延長線と第２の基準線Ｌ２との間に形成される角度に等しくてもよい。これに代えて、両側において、第２の基準線Ｌ２に近い第１のピン１１の仮想延長線と第２の基準線Ｌ２との間に形成される角度は、第２の基準線Ｌ２から遠い第１のピン１１の仮想延長線と第２の基準線Ｌ２との間に形成される角度より小さくてもよい。本発明はこれに限定されず、基板１０の特性に応じてより多くの選択が可能である。
【０１００】
ディスプレイパネル：本実施形態は、対応するディスプレイパネルも提供する。具体的には、図１４は、実施形態７に基づくディスプレイパネルの構成図である。図１４に示すように、ディスプレイパネル２は、複数の第２のピン２１が配置された非表示領域２０を有する。第２のピン２１は、第１のピン１１に対応するように設けられている。第２のピン２１の詳細については、本実施形態の第１のピン１１及び実施形態１を参照でき、その詳細な説明は省略する。
【０１０１】
フラットパネルディスプレイデバイス：本実施形態は、対応するフラットパネルディスプレイデバイスも提供する。図１３及び図１４に示すように、本実施形態では、フラットパネルディスプレイデバイスは、駆動回路キャリア１とディスプレイパネル２とを備える。駆動回路キャリア１の第１のピン１１は、第２の基準線Ｌ２が第４の基準線Ｌ４と一致するように、ディスプレイパネル２の第２のピン２１に完全に又は部分的に接着される。
【０１０２】
実施形態８
同一の要素又は同一の機能を有する要素には、本実施形態及び先の実施形態において同じ参照符合を付している。以下では、本実施形態と先の実施形態との相違点を中心に説明する。
【０１０３】
駆動回路キャリア：図１５は、本発明の実施形態８に基づく駆動回路用キャリアの構成図である。図１５に示すように、１２個の第１のピン１１が９個の第１のピン群Ａ１〜Ａ９に分割されている。第１のピン群Ａ１〜Ａ８のそれぞれは、１個の第１のピン１１を含み、第１のピン群Ａ９は、４個の第１のピン１１を含む。第１のピン群Ａ８、第１のピン群Ａ６、第１のピン群Ａ４、第１のピン群Ａ２、第１のピン群Ａ９、第１のピン群Ａ１、第１のピン群Ａ３、第１のピン群Ａ５、及び第１のピン群Ａ７は、第１の基準線Ｌ１に沿って、この順に配列されている。
【０１０４】
本実施形態では、各第１のピン群Ａ１〜Ａ８の仮想延長線は、第２の基準線Ｌ２と交差し、第１のピン群Ａ９は、第２の基準線Ｌ２と平行に延びている。更に、各第１のピン群の仮想延長線は、それぞれ異なる点で第２の基準線と交差している。具体的には、第１のピン群Ａ１〜Ａ８の仮想延長線は、点Ｄ１０〜Ｄ１７において第２の基準線Ｌ２と交差している。
【０１０５】
本実施形態では、第１のピン１１のうち第２の基準線Ｌ２に近い第１のピン１１の仮想延長線は、複数の第１のピン１１に近い点で第２の基準線Ｌ２と交差していてもよい（ここでは、複数の第１のピン１１を全体とみなしてもよい）。他の実施形態では、第１のピン１１のうち第２の基準線Ｌ２から遠い第１のピン１１の仮想延長線が複数の第１のピン１１に近い点で第２の基準線Ｌ２と交差してもよく、複数の第１のピン１１の仮想延長線の少なくとも一部が互いに交差してもよい。
【０１０６】
また、第２の基準線Ｌ２に近い第１のピン１１の仮想延長線と第２の基準線Ｌ２との間に形成される角度は、第２の基準線Ｌ２から遠い第１のピン１１の仮想延長線と第２の基準線Ｌ２との間に形成される角度より小さくてもよく、大きくてもよく、等しくてもよい。好ましくは、第２の基準線に最も近い第１のピンから第２の基準線から最も遠い第１のピンの方向に、各第１のピンは、その前の第１のピンと比較して、仮想延長線と第２の基準線との間に形成される角度がより大きい。
【０１０７】
本実施形態では、第２の基準線Ｌ２と交差する仮想延長線を有する８個の第１のピン群は、第２の基準線Ｌ２の両側に均等に配置されている。一方の側では、第２の基準線Ｌ２に近い第１のピン１１の仮想延長線と第２の基準線Ｌ２との間に形成される角度は、第２の基準線Ｌ２から遠い第１のピン１１の仮想延長線と第２の基準線Ｌ２との間に形成される角度より小さく、他方の側では、第２の基準線Ｌ２に近い第１のピン１１の仮想延長線と第２の基準線Ｌ２との間に形成される角度は、第２の基準線Ｌ２から遠い第１のピン１１の仮想延長線と第２の基準線Ｌ２との間に形成される角度に等しくてもよい。これに代えて、両側において、第２の基準線Ｌ２に近い第１のピン１１の仮想延長線と第２の基準線Ｌ２との間に形成される角度は、第２の基準線Ｌ２から遠い第１のピン１１の仮想延長線と第２の基準線Ｌ２との間に形成される角度より小さくてもよい。本発明はこれに限定されず、基板１０の特性に応じてより多くの選択が可能である。
【０１０８】
ディスプレイパネル：本実施形態は、対応するディスプレイパネルも提供する。具体的には、図１６は、実施形態８に基づくディスプレイパネルの構成図である。図１６に示すように、ディスプレイパネル２は、複数の第２のピン２１が配置された非表示領域２０を有する。第２のピン２１は、第１のピン１１に対応するように設けられている。第２のピン２１の詳細については、本実施形態の第１のピン１１及び実施形態１を参照でき、その詳細な説明は省略する。
【０１０９】
フラットパネルディスプレイデバイス：本実施形態は、対応するフラットパネルディスプレイデバイスも提供する。図１５及び図１６に示すように、本実施形態では、フラットパネルディスプレイデバイスは、駆動回路キャリア１とディスプレイパネル２とを備える。駆動回路キャリア１の第１のピン１１は、第２の基準線Ｌ２が第４の基準線Ｌ４と一致するように、ディスプレイパネル２の第２のピン２１に完全に又は部分的に接着される。
【０１１０】
実施形態９
同一の要素又は同一の機能を有する要素には、本実施形態及び先の実施形態において同じ参照符合を付している。以下では、本実施形態と先の実施形態との相違点を中心に説明する。
【０１１１】
駆動回路キャリア：図１７は、本発明の実施形態９に基づく駆動回路用キャリアの構成図である。図１７に示すように、８個の第１のピン１１が５個の第１のピン群Ａ１〜Ａ５に分割されている。第１のピン群Ａ１〜Ａ４のそれぞれは、１個の第１のピン１１を含み、第１のピン群Ａ５は、４個の第１のピン１１を含む。第１のピン群Ａ５、第１のピン群Ａ１、第１のピン群Ａ２、第１のピン群Ａ３、及び第１のピン群Ａ４は、第１の基準線Ｌ１に沿って、この順に配列されている。
【０１１２】
本実施形態では、第１のピン群Ａ１〜Ａ４の仮想延長線は、第２の基準線Ｌ２と交差し、第１のピン群Ａ５は、第２の基準線Ｌ２と平行に延びている。また、各第１のピン群の仮想延長線は、それぞれ異なる点で第２の基準線Ｌ２と交差している。具体的には、第１のピン群Ａ１〜Ａ４の仮想延長線は、点Ｄ１０〜Ｄ１３において第２の基準線Ｌ２と交差している。
【０１１３】
本実施形態では、第２の基準線Ｌ２に近い第１のピン１１の仮想延長線は、複数の第１のピン１１に近い点で第２の基準線Ｌ２と交差していてもよい（ここでは、複数の第１のピン１１を全体とみなしてもよい）。他の実施形態では、第２の基準線Ｌ２から遠い第１のピン１１の仮想延長線が複数の第１のピン１１に近い点で第２の基準線Ｌ２と交差してもよく、複数の第１のピン１１の仮想延長線の少なくとも一部が互いに交差してもよい。
【０１１４】
また、第２の基準線Ｌ２に近い第１のピン１１の仮想延長線と第２の基準線Ｌ２との間に形成される角度は、第２の基準線Ｌ２から遠い第１のピン１１の仮想延長線と第２の基準線Ｌ２との間に形成される角度より小さくてもよく、大きくてもよく、等しくてもよい。好ましくは、第２の基準線に最も近い第１のピンから第２の基準線から最も遠い第１のピンの方向に、第１のピン１１の仮想延長線と第２の基準線Ｌ２との間に形成される角度が大きくなる。
【０１１５】
ディスプレイパネル：本実施形態では、対応するディスプレイパネルも提供する。具体的には、図１８は、実施形態９に基づくディスプレイパネルの構成図である。図１８に示すように、ディスプレイパネル２は、複数の第２のピン２１が配置された非表示領域２０を有する。第２のピン２１は、第１のピン１１に対応するように設けられている。第２のピン２１の詳細については、本実施形態の第１のピン１１及び実施形態１を参照でき、その詳細な説明は省略する。
【０１１６】
フラットパネルディスプレイデバイス：本実施形態では、対応するフラットパネルディスプレイデバイスも提供する。図１７及び図１８に示すように、本実施形態では、フラットパネルディスプレイデバイスは、駆動回路キャリア１とディスプレイパネル２とを備える。駆動回路キャリア１の第１のピン１１は、第２の基準線Ｌ２が第４の基準線Ｌ４と一致するように、ディスプレイパネル２の第２のピン２１に完全に又は部分的に接着される。
【０１１７】
実施形態１０
同一の要素又は同一の機能を有する要素には、本実施形態及び先の実施形態において同じ参照符合を付している。以下では、本実施形態と先の実施形態との相違点を中心に説明する。
【０１１８】
駆動回路キャリア：図１９は、本発明の実施形態１０に基づく駆動回路キャリアの構成図である。図１９に示すように、本実施形態に基づく第１のピン１１は、第１の端部１１０と、反対側の第２の端部１１１とを有する。また、第１の端部１１０における第１のピン１１の断面幅は、第２の端部１１１における断面幅よりも広い。断面幅とは、第１の基準線Ｌ１の方向に沿った断面幅を指す。第１のピン１１のそれぞれについて、第１の端部１１０は、ディスプレイパネルに近く、第２の端部１１１は、ディスプレイパネルから離れている。第１のピン１１の一端側の断面幅を他端側より広くして駆動回路キャリア１上のピンとディスプレイパネル上のピンとの間の接触面積を大きくすることによって、駆動回路キャリア１をディスプレイパネルに接着するとき、駆動回路キャリアを移動させてオフセットを補償する際の接着品質を向上させることができる。
【０１１９】
図１９に示すように、本実施形態では、第１のピン１１の断面幅が第１の端部１１０から第２の端部１１１に向かって徐々に狭くなっている。すなわち、各第１のピン１１は、第１の端部１１０において最も広い断面幅を有し、第２の端部１１１において最も狭い断面幅を有する。
【０１２０】
他の実施形態では、第１のピン１１のそれぞれは、第２の端部１１１よりも第１の端部１１０の断面幅が広い限り、異なる断面幅設計を有することができる。具体的には、第１のピン１１のそれぞれは、形状及び／又は断面幅に関して互いに異なる複数のセクションを有することができる。
【０１２１】
例えば、図２０に示すように、第１の端部１１０から第２の端部１１１までの第１のピン１１の断面幅は、最初は一定に保ち、次に徐々に減少させてもよい。すなわち、図２０に示す各第１のピン１１は、第１の端部１１０における第１のセクションと、第１の端部１１０から遠い第２のセクションとの２個のセクションを有する。第１のピン１１の断面幅は、第１のセクション全体に亘って一定に維持され、これは、第１の端部１１０における断面幅に等しい。すなわち、第１のセクションは、長方形又は平行四辺形に形成される。一方、第２のセクションでは、第１のピン１１の断面幅は、第１の端部１１０の近くの端部から第２の端部１１１まで徐々に減少する。すなわち、第２のセクションでは、断面幅は、第１の端部１１０に近い端部で最大であり、第２の端部１１１で最小である。
【０１２２】
別の例として、各第１のピン１１の断面幅は、第１の端部１１０から第２の端部１１１の方向において、最初に徐々に減少し、次に一定に保たれ、最後に再び徐々に減少してもよい。すなわち、各第１のピン１１は、３個のセクション、すなわち、第１の端部１１０側に配置された第１のセクションと、第２の端部１１１側に配置された第３のセクションと、第１のセクションと第３のセクションとの間に配置された第２のセクションとを含む。第１のセクションでは、断面幅は徐々に減少する。すなわち、各第１のピン１１の断面幅は、第１の端部１１０から減少する。換言すれば、第１のセクションにおいて、第１のピン１１のそれぞれの断面幅は、第１の端部１１０で最大であり、第１の端部１１０から遠い端部で最小である。第２のセクションでは、各第１のピンの断面幅は一定のままであり、これは、第１のセクションの最小断面幅及び第３のセクションの最大断面幅に等しい。すなわち、第２のセクションは、長方形又は平行四辺形に形成される。第３のセクションでは、各第１のピン１１の断面幅は、第１の端部１１０に近い端部から第２の端部１１１まで徐々に減少する。すなわち、第３の区間では、第１のピン１１の断面幅は、第１の端部１１０に近い端部で最大であり、第２の端部１１１で最小である。
【０１２３】
更に別の例として、第１の端部１１０から第２の端部１１１までの第１のピン１１の断面幅は、最初は一定に保ち、次に減少し、最後に再び一定に保ってもよい。換言すれば、第１のピン１１のそれぞれは、第１の端部１１０側に配置された第１のセクションと、第１の端部１１０から離れて配置された第２のセクションとの２個のセクションを有する。第１のピン１１の断面幅は、第１のセクション全体に亘って一定に維持され、これは、第１の端部１１０における断面幅に等しい。すなわち、第１のセクションは、長方形又は平行四辺形に形成される。第２のセクションでも、第１のピン１１の断面幅は一定のままであり、これは、第２の端部１１１の断面幅に等しい。すなわち、第２のセクションは、長方形又は平行四辺形に形成される。第２の端部１１１の断面幅は、第１の端部１１０より狭い。
【０１２４】
ディスプレイパネル：本実施形態では、対応するディスプレイパネルも提供する。具体的には、図２１又は図２２は、実施形態１０に基づくディスプレイパネルの構成を示す図である。図２１又は図２２に示すように、ディスプレイパネル２は、複数の第２のピン２１が配置された非表示領域２０を有する。第２のピン２１は、第１のピン１１に対応するように設けられている。第２のピン２１の詳細については、本実施形態の第１のピン１１及び実施形態１を参照でき、その詳細な説明は省略する。
【０１２５】
フラットパネルディスプレイデバイス：本実施形態では、対応するフラットパネルディスプレイデバイスも提供する。図１９〜図２２に示すように、本実施形態では、フラットパネルディスプレイデバイスは、駆動回路キャリア１とディスプレイパネル２とを備える。駆動回路キャリア１の第１のピン１１は、第２の基準線Ｌ２が第４の基準線Ｌ４と一致するように、ディスプレイパネル２の第２のピン２１に完全に又は部分的に接着される。
【０１２６】
実施形態１１
同一の要素又は同一の機能を有する要素には、本実施形態及び先の実施形態において同じ参照符合を付している。以下では、本実施形態と先の実施形態との相違点を中心に説明する。
【０１２７】
図２３は、本発明の実施形態１１に基づく駆動回路用キャリアの構成図である。図２３に示すように、本実施形態では、最も外側の第１のピン１１に第１のアラインメントマーク１２が設けられている。第１のアラインメントマーク１２によって、駆動回路キャリア１のディスプレイパネルへの接着中の整列が著しく容易になり、したがって接着効率を高めることができる。
【０１２８】
第１のアラインメントマーク１２は、最も外側の２個の第１のピン１１のそれぞれに設けることが好ましい。複数の第１のピン１１に第１のアラインメントマーク１２を設けることにより、駆動回路キャリア１とディスプレイパネルとの接着時の整列を良好にでき、接着効率を更に向上させることができる。
【０１２９】
本実施形態では、各第１のピン１１は、一対の第１の辺と一対の第２の辺とを有している。第１の辺は、いずれも第１の基準線Ｌ１と交差し、第２の辺は、いずれも第１の基準線Ｌ１と平行に延びている。好ましくは、各第１のアラインメントマーク１２は、対応する最も外側の第１のピン１１の外側の第１の辺に設けられる。また、第１のアラインメントマーク１２は、第１の基準線Ｌ１上に位置する。
また、第１のアラインメントマーク１２は、長方形、台形、三角形、扇形、円形等の規則的な形状や、不規則な形状であってもよい。
【０１３０】
ディスプレイパネル：本実施形態では、対応するディスプレイパネルも提供する。具体的には、図２４は、実施形態１１に基づくディスプレイパネルの構成を示す図である。図２４に示すように、ディスプレイパネル２は、複数の第２のピン２１が配置された非表示領域２０を有する。本実施形態では、最も外側の第２のピン２１に第２のアラインメントマーク２２が設けられている。第２のアラインメントマーク２２により、駆動回路キャリア１とディスプレイパネル２との接着時の整列が容易になり、接着効率が向上する。
【０１３１】
第２のアラインメントマーク２２は、最も外側の２個の第２のピン２１のそれぞれに設けることが好ましい。複数の第２のピン２１に第２のアラインメントマーク２２を設けることにより、駆動回路キャリア１とディスプレイパネルとの接着時の整列を良好にでき、接着効率を更に向上させることができる。
【０１３２】
本実施形態では、第２のピン２１は、一対の第３の辺と一対の第４の辺とを有している。第３の辺は、いずれも第３の基準線Ｌ３と交差し、第４の辺は、いずれも第３の基準線Ｌ３と平行に延びている。各第２のアラインメントマーク２２は、対応する最も外側の第２のピン２１の第３の辺の外側に設けることが好ましい。
【０１３３】
第２のアラインメントマーク２２のそれぞれは、好ましくは、形状又はサイズに関して同一である又は同一でない複数のアラインメント構造を含む。また、アラインメント構造は、長方形、台形、三角形、円形等の規則的な形状又は不規則な形状であってもよいが、本発明はこれに限定されない。
【０１３４】
図２４に示すように、本実施形態では、第２のアラインメントマーク２２のそれぞれは、以下、それぞれアラインメント構造２２ａ、アラインメント構造２２ｂ及びアラインメント構造２２ｃと称する３個のアライメントセクションを有する。３個のアラインメント構造のうち、アラインメント構造２２ｂは、第３の基準線Ｌ３上に配置され、アラインメント構造２２ａ及びアラインメント構造２２ｃは、第３の基準線Ｌ３の両側、したがってアラインメント構造２２ｂの両側に配置される。更に、アラインメント構造２２ａ及びアラインメント構造２２ｃから第３の基準線Ｌ３までの距離は等距離である。アラインメント構造２２ａ及びアラインメント構造２２ｃから第３の基準線Ｌ３までの距離とは、第４の基準線Ｌ４の方向における距離を意味する。
【０１３５】
アラインメント構造２２ａから第３の基準線Ｌ３までの距離、したがってアラインメント構造２２ｃから第３の基準線Ｌ３までの距離は、好ましくは、以下を満たす。
Ｈ＝ｈ−ｓ／ｗ
ここで、Ｈは、アラインメント構造２２ａ及びアラインメント構造２２ｃから第３の基準線Ｌ３までの距離であり、ｈは、第２のピン２１の高さ（ここでは、複数の第２のピン２１を全体とみなし、第２のピン２１の第３の基準線Ｌ３と直交する方向の高さ）であり、ｓは、定数（接着材料によって許容される最小面積によって決定される。接着材料は、通常、ＡＣＦ材料が選択される。）であり、ｗは、第２のピン２１の断面幅（第３の基準線Ｌ３に沿った断面幅又は、第２のピンの平均断面幅のいずれか）を指す。
【０１３６】
他の実施形態では、第２のアラインメントマーク２２のそれぞれが１個又は２個のアラインメント構造を備えることもできる。前者の場合、単一のアラインメント構造は、好ましくは、第３の基準線Ｌ３上に位置し、後者の場合には、２個のアラインメント構造は、好ましくは、第３の基準線Ｌ３の両側にあり、第３の基準線Ｌ３から等距離にある。第２のアラインメントマーク２２のそれぞれは、より多くの、例えば、５個又は６個のアラインメント構造を備えてもよい。これらの場合には、駆動回路キャリアをディスプレイパネル２に接着する際の一層の整列をより容易にでき、接着効率を更に向上させることができる。
【０１３７】
更に、複数のアラインメント構造を含む第２のアラインメントマーク２２を用いることにより、オフセット補正量を精密に制御でき、過補正等を回避できる。
【０１３８】
フラットパネルディスプレイデバイス：本実施形態では、対応するフラットパネルディスプレイデバイスも提供する。図２３及び図２４に示すように、本実施形態では、フラットパネルディスプレイデバイスは、駆動回路キャリア１とディスプレイパネル２とを備える。駆動回路キャリア１の第１のピン１１は、第２の基準線Ｌ２が第４の基準線Ｌ４と一致するように、ディスプレイパネル２の第２のピン２１に完全に又は部分的に接着される。
【０１３９】
フラットパネルディスプレイデバイスの製造方法：本実施形態では、フラットパネルディスプレイデバイスの製造方法は、駆動回路キャリア１を準備することと、ディスプレイパネル２を準備することと、駆動回路キャリア１の第１のアラインメントマーク１２とディスプレイパネル２の第２のアラインメントマーク２２とを用いて、駆動回路キャリア１の第１のピン１１とディスプレイパネル２の第２のピン２１とを整列させることと、第１のピン１１を第２のピン２１に取り付けて、駆動回路キャリア１をディスプレイパネル２に接着することとを含む。
【０１４０】
また、駆動回路キャリア１内の第１のアラインメントマーク１２とディスプレイパネル２の第２のアラインメントマーク２２とを用いて駆動回路キャリア１の第１のピン１１とディスプレイパネル２の第２のピン２１とを整列させることは、（第１の基準線Ｌ１の方向における）２個の第１のアラインメントマーク１２の間の距離と（第３の基準線Ｌ３の方向における）２個の第２のアラインメントマーク２２の間の距離とを求め、２個の第２のアラインメントマーク２２の間の距離と２個の第１のアラインメントマーク１２の間の距離との差から目標オフセットを求めることと、第１のピン１１が第２のピン２１と整列するように、第２の基準線Ｌ２に沿って駆動回路キャリア１を目標オフセットに等しい距離だけ移動させることとを含む。目標オフセットは、以下の式によって導出される。
Ｙ＝Ｘ／ｔａｎθ
ここで、Ｙは、目標オフセットを示し、Ｘは、前述の距離の差であり、θは、最も外側の第１のピンの仮想延長線と第２の基準線との間に形成される角度である。
【０１４１】
本実施形態では、目標オフセットＹは、アラインメント構造２２ａ（又はアラインメント構造２２ｃ）から第３の基準線までの距離Ｈ以下であってもよい。目標オフセットＹは、ゼロであってもよい。この場合、駆動回路キャリア１が第２の基準線Ｌ２に沿って移動する距離もゼロである。
【０１４２】
本出願では、説明のために１１個の例示的な実施形態を提示したが、当業者は、これらに基づいて、様々な変形を行うことができる。例えば、実施形態１０の複数の第１のピン１１を実施形態５と同様に配置することにより、実施形態１０を実施形態５と組み合わせることができる。実施形態１０は、実施形態１と組み合わせることもでき、実施形態１１は、実施形態５と組み合わせることもでき、実施形態１１は、実施形態７と組み合わせることもでき、他も同様である。
【０１４３】
上記の説明は、単に本発明の幾つかの好ましい実施形態を提示するものであり、如何なる意味でも本発明の範囲を限定する意図はない。上記の教示に基づいて当業者が行う変更又は修正は、特許請求の範囲によって定義される範囲に含まれる。
【図１】
2019532317.tif 000003
【図２】
2019532317.tif 000004
【図３】
2019532317.tif 000005
【図４】
2019532317.tif 000006
【図５】
2019532317.tif 000007
【図６】
2019532317.tif 000008
【図７】
2019532317.tif 000009
【図８】
2019532317.tif 000010
【図９】
2019532317.tif 000011
【図１０】
2019532317.tif 000012
【図１１】
2019532317.tif 000013
【図１２】
2019532317.tif 000014
【図１３】
2019532317.tif 000015
【図１４】
2019532317.tif 000016
【図１５】
2019532317.tif 000017
【図１６】
2019532317.tif 000018
【図１７】
2019532317.tif 000019
【図１８】
2019532317.tif 000020
【図１９】
2019532317.tif 000021
【図２０】
2019532317.tif 000022
【図２１】
2019532317.tif 000023
【図２２】
2019532317.tif 000024
【図２３】
2019532317.tif 000025
【図２４】
2019532317.tif 000026
【国際調査報告】
2019532317.tif 000027
2019532317.tif 000028
2019532317.tif 000029
2019532317.tif 000030